【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
複数の超常磁性粒子それぞれを保持してなり、交流磁界である外部磁場が印加された状態で電子部品として使用される磁性部材であって、
前記超常磁性粒子それぞれは、少なくとも、前記交流磁界の周期Ｔよりもニール緩和時間τｎが短くなる（τｎ＜Ｔ）粒径で形成されている
ことを特徴とする磁性部材。
【請求項２】
前記超常磁性粒子それぞれは、少なくとも、外部環境の温度における磁気応答の速度で規定されるニール緩和時間τｎが、前記交流磁界の周期Ｔよりも短くなる（τｎ＜Ｔ）ように採用された粒径で形成されている
ことを特徴とする請求項１に記載の磁性部材。
【請求項３】
前記超常磁性粒子それぞれは、少なくとも、該超常磁性粒子の異方性定数に応じた磁気応答の速度で規定されるニール緩和時間τｎが、前記交流磁界の周期Ｔよりも短くなる（τｎ＜Ｔ）ように採用された粒径で形成されている
ことを特徴とする請求項１または請求項２に記載の磁性部材。
【請求項４】
前記超常磁性粒子それぞれは、下記の式１にて求められるニール緩和時間τｎが、前記交流磁界の周期Ｔよりも短くなる（τｎ＜Ｔ）ように選択された粒径で形成されている
ことを特徴とする請求項１から３のいずれかに記載の磁性部材。
【数１】
2011119661.tif 000001
【請求項５】
前記超常磁性粒子それぞれは、ブラウン機構による変位を抑制可能な基材中に分散させることにより、ブラウン機構による変位が制限された状態で保持されている
ことを特徴とする請求項１から４のいずれかに記載の磁性部材。
【請求項６】
前記基材は、非磁性の部材であり、該部材中に前記超常磁性粒子それぞれを分散させた状態で保持している
ことを特徴とする請求項５に記載の磁性部材。
【請求項７】
前記超常磁性粒子それぞれは、該超常磁性粒子の表面に非磁性のコーティング層が形成されている
ことを特徴とする請求項５または請求項６に記載の磁性部材。
【請求項８】
前記超常磁性粒子それぞれは、該超常磁性粒子表面に形成された被膜を介して間接的に密着させることにより、ブラウン機構による変位が制限された状態で保持されている
ことを特徴とする請求項１から４のいずれかに記載の磁性部材。
【請求項９】
前記超常磁性粒子それぞれは、直接的に密着させることにより、ブラウン機構による変位が制限された状態で保持されている
ことを特徴とする請求項１から４のいずれかに記載の磁性部材。
【請求項１０】
環状に形成した複数の磁性部材を連ねてなり、それぞれ各磁性部材の全周にわたって巻き付けられた複数の励磁コイルと、前記磁性部材それぞれをまたがって巻き付けられた検出コイルと、を備え、前記磁性部材それぞれの環状部分を通された導線に流れる電流を検出するセンサとして機能する電子部品であって、
前記磁性部材には、請求項１から９のいずれかに記載の磁性部材が用いられている
ことを特徴とする電子部品。
【請求項１１】
環状に形成した磁性部材からなり、該磁性部材の一部分に形成されたギャップと、該ギャップ内に配置されたホール素子と、を備え、前記磁性部材の環状部分を通された導線に流れる電流を検出するセンサとして機能する電子部品であって、
前記磁性部材には、請求項１から９のいずれかに記載の磁性部材が用いられている
ことを特徴とする電子部品。
【請求項１２】
環状に形成した磁性部材からなり、該磁性部材の全周にわたって巻き付けられた平衡コイルと、前記磁性部材の一部分に形成されたギャップと、該ギャップ内に配置されたホール素子と、を備え、前記磁性部材の環状部分を通された導線に流れる電流を検出するセンサとして機能する電子部品であって、
前記磁性部材には、請求項１から９のいずれかに記載の磁性部材が用いられている
ことを特徴とする電子部品。
【請求項１３】
環状に形成した磁性部材からなり、該磁性部材における環状部分を分割するようにつなぐ連結磁路と、前記磁性部材の全周にわたって巻き付けられた励磁コイルと、前記連結磁路の全長にわたって巻き付けられた検出コイルと、を備え、前記磁性部材において前記連結磁路で分割された一方の領域から他方の領域に抜けるように通された導線に流れる電流を検出するセンサとして機能する電子部品であって、
前記磁性部材には、請求項１から９のいずれかに記載の磁性部材が用いられている
ことを特徴とする電子部品。
【請求項１４】
筒状に形成した磁性部材からなり、該筒状部分に導線を貫通させて使用することによりフェライトとして機能する電子部品であって、
前記磁性部材には、請求項１から９のいずれかに記載の磁性部材が用いられている
ことを特徴とする電子部品。
【請求項１５】
リング状の磁性部材からなり、該磁性部材に導体を巻きつけて使用することによりフェライトとして機能する電子部品であって、
前記磁性部材には、請求項１から９のいずれかに記載の磁性部材が用いられている
ことを特徴とする電子部品。
【請求項１６】
柱状の磁性部材からなり、該磁性部材内部に螺旋状の導体を埋設して使用することによりフェライトとして機能する電子部品であって、
前記磁性部材には、請求項１から９のいずれかに記載の磁性部材が用いられている
ことを特徴とする電子部品。
【請求項１７】
矩形の板状に形成した磁性部材からなり、該板状の表面に接地導体とアンテナ導体とが設けられ、これら導体によりチップアンテナとして機能する電子部品であって、
前記磁性部材には、請求項１から９のいずれかに記載の磁性部材が用いられている
ことを特徴とする電子部品。
【手続補正２】
【補正対象書類名】明細書
【補正対象項目名】０００７
【補正方法】変更
【補正の内容】
【０００７】
上記課題を解決するため第１の構成は、電子部品の一部を構成可能であり、複数の超常磁性粒子それぞれを保持してなる磁性部材であって、前記超常磁性粒子それぞれは、少なくとも、該超常磁性粒子におけるニール緩和時間τｎが、前記電子部品として用いられる際に当該磁性部材に印加される交流磁界の周期Tよりも短くなる（τｎ＜T）ように定められた粒径で形成されている。
【手続補正３】
【補正対象書類名】明細書
【補正対象項目名】００１１
【補正方法】変更
【補正の内容】
【００１１】
具体的には、例えば、上記構成を以下に示す第２の構成のようにすることが考えられる。この構成において、前記超常磁性粒子それぞれは、ブラウン機構による変位を抑制可能な基材中に分散させることにより、ブラウン機構による変位が制限された状態で保持されている。
【手続補正４】
【補正対象書類名】明細書
【補正対象項目名】００１２
【補正方法】変更
【補正の内容】
【００１２】
このように構成された磁性部材であれば、超常磁性粒子それぞれを基材中に分散させることで、ブラウン機構による変位が制限された状態で保持することができる。
また、この構成において、固体の基材中に超常磁性粒子それぞれを分散させるためには、例えば、第３の構成のようにするとよい。
【手続補正５】
【補正対象書類名】明細書
【補正対象項目名】００１５
【補正方法】変更
【補正の内容】
【００１５】
また、上記第３の構成において、前記超常磁性粒子それぞれは、第４の構成のように、該超常磁性粒子の表面に非磁性のコーティング層が形成されている。
この構成であれば、超常磁性粒子それぞれに非磁性のコーティング層が形成されているため、この超常磁性粒子それぞれを液化された基材中に分散させた際の両者の親和性を高めることができ、これにより、超常磁性粒子それぞれを固化した基材中に確実に保持することができる。
【手続補正６】
【補正対象書類名】明細書
【補正対象項目名】００１６
【補正方法】変更
【補正の内容】
【００１６】
また、上記課題を解決するための第５の構成は、磁心を備えたトランスまたは磁気センサとして用いられる電子部品であって、前記磁心には、第１から第４のいずれかの構成に係る磁性部材が用いられている。この構成であれば、第１から第４のいずれかの構成と同様の作用、効果を得ることができる。
【手続補正７】
【補正対象書類名】明細書
【補正対象項目名】００１７
【補正方法】変更
【補正の内容】
【００１７】
また、上記課題を解決するための第５の構成は、磁心を備えたインダクタとして用いられる電子部品であって、前記磁心には、第１から第４のいずれかの構成に係る磁性部材が用いられている。この構成であれば、第１から第４のいずれかの構成と同様の作用、効果を得ることができる。